(57)【要約】【課題】従来この緊急脱出の手段としてのエレベーターや非常階段は数が少ないうえ、炎、煙、有毒ガスなどでそこへ到着するのが困難な場合が多々ある。消防梯子車の場合、現場に到着するまでに時間が掛かる。その他発電機、電動モーター、油圧モーターの使用による脱出装置も提案されているがコスト、装置の規模、降下速度のコントロール面で難点がある。【解決手段】油圧ポンプの吐き出し口と吸い込み口を油管で接続し、その油管の中途に可変弁を配し、この閉された循環回路にオイルを充填する。ポンプ駆動軸の延長上にはワイヤーを捲きつけたリールを装着し、そのワイヤーで脱出者を吊り下げる。そして脱出者の降下と共にリールは回転し同時にポンプ駆動軸も回転しオイルを循環させる．そのオイルの流れを可変弁で調節することによって逆にポンプ駆動軸の回転をコントロールし、それによって脱出者を安全に降下させる装置である。【選択図】    図１
2008188195.tif 000002
【特許請求の範囲】
【請求項１】
油圧ポンプの吐き出し口と吸い込み口を油管で接続し、その油管の中途に手動で弁調節ができる可変弁を配し、その閉された循環回路にオイルを充填し、ポンプ駆動軸に爪車を固定し、それに隣接して回転が自由で着脱可能なリールを装着しリールの枠に取り付けられた爪を爪車に噛みあわせ、リールにワイヤーＡを捲きつけ、その先端に吊り具を装着した緊急脱出装置
【請求項２】
請求項1記載の緊急脱出装置においては油圧ポンプと可変弁並びに油管を固定する基板を装備し、その一端にワイヤーＡを案内する案内板を固定し、他の一端には支持バーを固定し、その先端にはポンプ駆動軸に対して着脱可能な指示板を装着し、リールの枠にはワイヤーＡを捲き取るのに使用するリールハンドルを装備したことを特徴とする緊急脱出装置
【発明の詳細な説明】
【技術分野】
【０００１】
本発明は２階以上の建物において火災等の発生により通常の避難路が断たれた場合に窓やベランダ或いは屋上等から緊急に脱出するための緊急脱出装置に関するものである。
【背景技術】
【０００２】
従来この緊急避難用に準備されている手段としてはエレベーター、非常階段、消防梯子車、ヘリコプターなどがあり又モーターや発電機などを使った脱出装置も提案されている。
【特許文献１】特開２００６−２６６４４３号公報
【発明の開示】
【発明が解決しようとする課題】
【０００３】
従来の緊急避難用の手段としてはエレベーター、非常階段、消防梯子車、ヘリコプター等があるがエレベーターや非常階段は数が少なく、炎、有毒ガス、煙などでそこへ到達するのが困難な場合が多々ある。又消防梯子車、ヘリコプターによる救出も現場への到着までに時間が掛かり救出の際も小人数ずつで時間が掛かり過ぎる。
【０００４】
又発電機、電動モーター、油圧モーターの使用による脱出装置の提案もあるが、コスト、装置の規模、降下速度のコントロール面で難点がある。
【０００５】
本発明は本出願人が既に出願してある特許文献１の請求項１による回転体の制動装置とワイヤ−の捲かれたリールとを組み合わせた安全でかつ操作が簡単な緊急脱出装置を提供する事を目的とする。
【課題を解決するための手段】
【０００６】
上記目的を達成するため特許文献１の請求項1が提案する回転体の制動装置とワイヤーの捲かれたリールとを組み合わせる。
【０００７】
特許文献１の請求項1が提案する回転体の制動装置は油圧ポンプの吐き出し口と吸い込み口を油管で接続し油管の中途に可変弁を配した閉循環回路を作り、この回路にオイルを充填し、制御しようとする回転体の回転を直接或いは間接にポンプ駆動軸に伝達し、ポンプ駆動軸の回転でオイルを循環させ、オイルの流れを可変弁で調節する事によって逆にポンプ駆動軸の回転を制御し、それに連動する回転体の回転を制御する装置である。
【０００８】
前記回転体の制動装置を基板（１５）に固定しその装置のポンプ駆動軸（２）の延長上に爪車（２０）を固定し、それがリール（２２）の枠に取り付けられた爪（２１）と噛み合うようにリール（２２）を隣接して装着するが、この場合爪車（２０）と爪（２１）の向きは、脱出者が降下する時にのみ爪（２１）と爪車（２０）が噛み合うように設定する。
【０００９】
基板（１５）上部には支持バー（１６）を固定し、その中央部には間隔をあけてよーおれ（２９）2本を固定しそれらの中間によ−と（３０）を固定する。ワイヤーＢ（２４）の一端を支持バー（１６）に縛り付け他端にはフックＢ（２６）を取り付ける。
【００１０】
支持バー（１６）の先端には支持板（１８）を装着する。この支持板（１８）は、一端が支持バー（１６）で貫通され、その回りを回転できるようになっている。他の一端はポンプ駆動軸（２）に引っ掛けられるようフック状にしてある。
【００１１】
基板（１５）の下部にはワイヤーＡ（２３）を案内する案内板（１７）が固定してある。
【発明の効果】
【００１２】
上述したように本発明は油圧ポンプ、可変弁、リールの組み合わせの簡単な構造なので、製造コストも低く軽量で操作が容易な緊急脱出装置を提供できる。
【００１３】
本発明はリールの着脱が可能なので脱出階から地上までの高さに相当するワイヤーを装備したリールを取替えるだけでどの階にも対応でき又ワイヤーを捲き戻して何度でも使用できるので便利である。
【発明を実施するための最良の形態】
【００１４】
以下、本発明の実施の形態を図１〜図４に基づいて説明する。
【００１５】
図２においてワイヤーＢ（２４）を柱、手摺、或いは窓枠や窓際によせられたべッドやテーブルの脚などの不動体に捲き付け本発明の本体がずり落ちないようにフックＢ（２６）で固定する。今可変弁（９）が閉じた状態で吊り具（２７）を使って脱出者を建物外の中空に吊り下げてもオイルの循環は行われず、したがってポンプ駆動軸（２）の回転もないので脱出者は降下せず停止したままである。
【００１６】
ここで脱出階において本装置の操縦者が弁ハンドル（１２）を操作して徐徐に可変弁（９）を開いていくと、オイルの循環が始まりポンプ駆動軸（２）、爪車（２０）そして爪（２１）を介して（図３を参照）リール（２２）が徐徐に回転し始め脱出者も徐徐に降下し始める。
【００１７】
高速で降下を避けるためストッパー（３１）（図3を参照）を設けて弁ハンドル（１２）の開きに制限を加えてある。又間違って弁ハンドル（１２）から指が離れても可変弁（９）が閉の状態になるよう戻しバネ（３２）が取り付けてある。
【００１８】
操縦者はリール（２２）の回転速度と脱出者の降下位置を注視しながら弁ハンドル（１２）を操作し、脱出者が着地付近に達すれば弁ハンドル（１２）をより閉に近づけて緩やかに着地させる。
【００１９】
地上に着地した脱出者が吊り具（２７）から離れた後、脱出階の操縦者はかぎＡ（４１）を外し（図２及び図４を参照）支持板（１８）のフック部分をポンプ駆動軸（２）より離脱させ、支持板（１８）を支持バー（１６）の回りに回転させかぎＢ（４４）をかぎ穴（４３）に入れて一時的に固定する。次にリールハンドル（２８）を使って全ワイヤーＡ（２３）を巻き取った後、リールハンドル（２８）を元に戻しかぎＢ（４４）を外して支持板（１８）のフック部分をポンプ駆動軸（２）にからませ、かぎＡ（４１）が掛かったことを確認し次の脱出者を脱出させる。
【００２０】
最後に操縦者自身が脱出するには本装置を逆にして次のように使用する。ワイヤーＡ（２３）とフックＡ（２５）で不動体に縛り付けワイヤーＢ（２４）に遊びがないようによ−おれ（２９）に捲き付けフックＢ（２６）直前のワイヤーＢ（２４）をよーと（３０）に通し、操縦者は吊り具（２７）を装着し、それをフックＢ（２６）に連結し、操縦者自身が弁ハンドル（１２）を操作しながら本装置と共に降下する。
【図面の簡単な説明】
【００２１】
【図１】制動装置の油圧回路とリールを組み合わせた脱出装置の全体構成図
【図２】外設歯車油圧ポンプを使用しての実施形態を示す緊急脱出装置の正面図
【図３】一部断面を含んだ左側面図
【図４】本装置の右側面図
【符号の説明】
【００２２】
１  油圧ポンプ
２  ポンプ駆動軸
７  油管
９  可変弁
１２  弁ハンドル
１５  基板
１６  支持バー
１７  案内板
１８  支持板
２０  爪車
２１  爪
２２  リール
２３  ワイヤーＡ
２４  ワイヤーＢ
２５  フックＡ
２６  フックＢ
２７  吊り具
２８  リールハンドル
２９  よーおれ
３０  よーと
３１  ストッパー
３２  戻しバネ
４１  かぎＡ
４３  かぎ穴
４４  かぎＢ
５３  オイル注入口
５４  空気抜き口
【図１】
2008188195.tif 000003
【図２】
2008188195.tif 000004
【図３】
2008188195.tif 000005
【図４】
2008188195.tif 000006